(57)【要約】【課題】排藁を株元側の乱れを抑制して集束しながら、シュータの折畳み固定及び解除展開等の操作を行い易くすることができるコンバインのドロッパ装置を提供する。【解決手段】ドロッパ装置１を集稈姿勢にした時はシュータ７を展開した案内姿勢となし、シュータ７を折畳んで脱穀装置に接近させた時はドロッパ装置１を収納姿勢となすように構成するコンバインのドロッパ装置であって、上部シュータ７ａに起立姿勢で株元揃え作用を奏する株側ガイド板２０を反転回動自在に立設すると共に、該株側ガイド板２０を上部シュータ７ａの折畳み時に反転回動し下部シュータ７ｂに係脱固定自在に構成すると共に、折畳んだ上部シュータ７ａを株側ガイド板２０によって下部シュータ７ｂに固定し、ドロッパ装置１を収納姿勢に切換えるように構成する。【選択図】図３
2016208924.tif 000002
【特許請求の範囲】
【請求項１】
脱穀装置の排藁口（２ａ）の下部に上下回動可能なドロッパ（６）を配設し、このドロッパ（６）の穂側を支持軸（１０ａ）を介して水平旋回可能に支持し、排藁を案内するシュータ（７）の下端部を、ドロッパ（６）の支点軸（６ａ）に近接して沿う取付軸（９）に枢着し、該シュータ（７）を中間部で上部シュータ（７ａ）と下部シュータ（７ｂ）とに分割すると共に展開折畳み可能に軸着して、ドロッパ（６）を後方へ旋回させた集稈姿勢にした時はシュータ（７）を展開した一連の案内姿勢となし、上部シュータ（７ａ）を折畳んで下部シュータ（７ｂ）に近接させた折畳み姿勢でドロッパ（６）と共に前方水平旋回をして脱穀装置に接近させた時は、ドロッパ装置（１）を収納姿勢となすように構成したコンバインのドロッパ装置（１）において、
前記上部シュータ（７ａ）の株元側に、起立姿勢で株元揃え作用を奏する株側ガイド板（２０）を反転回動自在に立設すると共に、該株側ガイド板（２０）を上部シュータ（７ａ）の折畳み時に反転回動し下部シュータ（７ｂ）に係脱固定自在に構成すると共に、折畳んだ上部シュータ（７ａ）を株側ガイド板（２０）によって下部シュータ（７ｂ）に固定しドロッパ装置（１）を収納姿勢に切換えることを特徴とするコンバインのドロッパ装置。
【請求項２】
前記取付軸（９）に、シュータ（７）の下部シュータ（７ｂ）を株元側に向けて移動自在に取付けることにより、下部シュータ（７ｂ）及び株側ガイド板（２０）によって長排藁の株元側を支持して案内移動させる請求項１記載のコンバインのドロッパ装置。
【発明の詳細な説明】
【技術分野】
【０００１】
本発明は、穀稈を刈取脱穀し排出される排藁を集束して圃場に放出するコンバインのドロッパ装置に関する。
【背景技術】
【０００２】
従来、コンバインは、脱穀装置の排藁口の下部に上下回動可能なドロッパを配設し、このドロッパの穂側を機枠と一体な部材に上下方向の支持軸を介して水平旋回可能に支持し、排藁を排藁口からドロッパに板面で案内するシュータを設けたドロッパ装置が既に公知である。（例えば、特許文献１参照）
上記ドロッパ装置は、シュータの下端部をドロッパの支点軸に近接して沿う取付軸に枢着し、該シュータを中間部で上部シュータと下部シュータとに分割すると共に展開折畳み可能に軸着して、ドロッパを後方へ旋回させた集稈姿勢にした時はシュータを展開した一連の案内姿勢となし、上部シュータを折畳んで下部シュータに近接させた折畳み姿勢でドロッパと共に前方水平旋回をして脱穀装置に接近させた時は、ドロッパ装置を収納姿勢となすように構成されている。
【先行技術文献】
【特許文献】
【０００３】
【特許文献１】特公平６−１８号公報
【発明の概要】
【発明が解決しようとする課題】
【０００４】
上記特許文献１に示されるドロッパ装置は、上部シュータを折畳み下部シュータに近接させた折畳み姿勢で、ドロッパと共に前方水平旋回をして脱穀装置に接近させるので、コンパクトな収納姿勢に切換えることができる利点がある。
然しながら、上記ドロッパ装置は、上部シュータと下部シュータを展開姿勢（作業姿勢）と折畳み姿勢とに択一的に切換える操作を行い各切換位置を保持させるための切換操作部材の構造が複雑である欠点と、切換え操作の手順が煩雑で覚え難いものであるためドロッパ装置の両姿勢の切換作業を非能率にしていた。
つまり、このドロッパ装置の切換操作部材は、シュータの両姿勢を切換える切換姿勢保持用のステーとそのブラケット及びステーの位置を選択して取付ける複数の蝶ネジやスプリング受金等の多くの操作部品によって構造が複雑化しているため、個々の切換操作部品を手順よく適正に着脱組付けすることに迷いや困難性を伴う問題があった。
一方、ドロッパ装置は小型軽量化を図る必要があることから、シュータの板面幅は標準的な稈長の排藁（短稈も含む）を集束する場合の案内幅を標準仕様にしているため、極めて長い長排藁を集束する場合には、板面の左側に大きくはみ出して移動する排藁の株元側が垂れ下りながら流下方向に移動するので、長排藁は株元が乱れた不揃い状態で集束されて圃場に放出される等の課題がある。
【課題を解決するための手段】
【０００５】
上記課題を解決するために本発明に係わるコンバインのドロッパ装置は、第１に、脱穀装置の排藁口２ａの下部に上下回動可能なドロッパ６を配設し、このドロッパ６の穂側を支持軸１０ａを介して水平旋回可能に支持し、排藁を案内するシュータ７の下端部を、ドロッパ６の支点軸６ａに近接して沿う取付軸９に枢着し、該シュータ７を中間部で上部シュータ７aと下部シュータ７ｂとに分割すると共に展開折畳み可能に軸着して、ドロッパ６を後方へ旋回させた集稈姿勢にした時はシュータ７を展開した一連の案内姿勢となし、上部シュータ７ａを折畳んで下部シュータ７ｂに近接させた折畳み姿勢でドロッパ６と共に前方水平旋回をして脱穀装置に接近させた時は、ドロッパ装置１を収納姿勢となすように構成したコンバインのドロッパ装置１において、
前記上部シュータ７ａの株元側に、起立姿勢で株元揃え作用を奏する株側ガイド板２０を反転回動自在に立設すると共に、該株側ガイド板２０を上部シュータ７ａの折畳み時に反転回動し下部シュータ７ｂに係脱固定自在に構成すると共に、折畳んだ上部シュータ７ａを株側ガイド板２０によって下部シュータ７ｂに固定しドロッパ装置１を収納姿勢に切換えることを特徴としている。
第２に、前記取付軸９に、シュータ７の下部シュータ７ｂを株元側に向けて移動自在に取付けることにより、下部シュータ７ｂ及び株側ガイド板２０によって長排藁の株元側を支持して案内移動させることを特徴としている。
【発明の効果】
【０００６】
請求項１に係る発明によれば、ドロッパ装置を、ドロッパを後方へ旋回させた集稈姿勢にした時はシュータを展開した一連の案内姿勢となし、上部シュータを折畳んで下部シュータに近接させた折畳み姿勢でドロッパと共に前方水平旋回をして脱穀装置に接近させた時は、ドロッパ装置を収納姿勢となすように構成し、前記上部シュータの株元側に、起立姿勢で株元揃え作用を奏する株側ガイド板を反転回動自在に立設すると共に、該株側ガイド板を上部シュータの折畳み時に反転回動し下部シュータに係脱固定自在に構成すると共に、折畳んだ上部シュータを株側ガイド板によって下部シュータに固定しドロッパ装置を収納姿勢に切換えるようにしたことにより、排藁の連続放出作業時に、流下移動する排藁の穂側を上部シュータの板面で支持しながら、起立状態の株側ガイド板が株元側を受けて左側への位置ずれ移動を規制案内をするため、長排藁であっても株元側の乱れを抑制しドロッパによって集束しスムーズに放出することができる。そして、ドロッパ装置を収納姿勢にする場合には、上部シュータの折畳み時に反転回動させる株側ガイド板が下部シュータに固定する固定部材になるので、折畳んだ上部シュータを下部シュータに簡潔で安価な構成によって確実に固定することができる。また株側ガイド板によって折畳み固定されたシュータは、両者のがたつきを抑制した状態で後壁に近接させることができドロッパ装置をコンパクトな収納姿勢にすることができる。
さらに、株側ガイド板を固定部材にするドロッパ装置は、切換操作部材及び固定部材等を簡潔な構造にすることができるので、作業者がドロッパ装置の姿勢切換作業の手順を覚え易くなるため、シュータの折畳み固定及び展開等の操作を能率よく行うことができる等の特徴がある。
請求項２に係る発明によれば、前記取付軸に、シュータの下部シュータを株元側に向けて移動自在に取付けることにより、下部シュータ及び株側ガイド板によって長排藁の株元側を支持して案内移動させるため、コンバインが長穀稈を刈取脱穀するとき、予めシュータを標準シュータ位置から長排藁のシュータ位置に切換えることができ、長排藁の株元側を下部シュータ及び株側ガイド板によって支持し株元側の垂れ下りによる株元不揃いを防止することができるので、ドロッパによる長排藁の集束を適正にすることができる。またドロッパ装置は、長排藁の株元側を受けるに当たり、シュータの左右幅を拡張することなく標準的な幅狭のシュータを、単に株元側へ移動調節をするだけの簡単な構成によってドロッパに向けて集束案内をすることができる。
【図面の簡単な説明】
【０００７】
【図１】本発明に係わるドロッパ装置を備えたコンバインの背面図である。
【図２】図（ａ）はドロッパ装置の連続放出姿勢を示す平面図であり、図（ｂ）は図（ａ）の株側ガイド板の作用を示す断面図である。
【図３】図（ａ）はドロッパ装置の集束姿勢を示す左後方斜視図であり、図（ｂ）は図（ａ）の上部シュータを折畳み反転させた株側ガイド板によって下部シュータに固定した状態を示す左後方斜視図である。
【図４】図（ａ）はドロッパ装置の収納姿勢を示す背面図であり、図（ｂ）は図（ａ）の左側面図である。
【図５】ドロッパ装置の収納姿勢における位置決め部材の要部構成を示す左側面図である。
【発明を実施するための形態】
【０００８】
本発明の一実施形態を図面に基づいて説明する。図１において符号Ａは、本発明に係わるドロッパ装置１を走行機体の後部の排藁処理装置２に備えたコンバインである。このコンバインＡは、クローラ式の走行装置３ａを有する機体フレーム３の一側に、前方から図示しない操縦部と穀粒排出オーガ装置を備えるグレンタンクを配置し、他側に脱穀装置を設置しその前部に穀稈を刈取って脱穀装置に供給する刈取部を備えている。実施形態の排藁処理装置２は、脱穀装置の後部に装着されて脱穀済みの排藁を細断するデスク型のカッタ装置４と、その後壁４ａの後方下部に設置されて排藁を集稈しながら地表に放出するドロッパ装置１とからなる。
【０００９】
上記カッタ装置４は、排藁切断口の上方後部に取付軸を中心として切換板４ｂを開閉動作自在に備え、該切換板４ｂの上方に脱穀装置から排出される排藁を、排塵選別室上を経て切換板４ｂの後方に形成される排藁口２ａに向けて排出送りをする排藁搬送装置５を設けている。カッタ装置４は、デスクカッタ刃によって細断された切断藁を下方に排出案内すると共に飛散防止をする切藁カバー４ｃを着脱自在に取付けている。また排藁搬送装置５とカッタ装置４及び排藁口２ａの上方は、脱穀装置に連なる天板カバー５ａによって覆っている。そして、排藁処理装置２は、天板カバー５ａの後端に側面視でＬ字状の排藁落下ガイド５ｃを設けている。この排藁落下ガイド５ｃは、排藁口２ａから落下排出する排藁を後壁４ａとの間でドロッパ装置１へ誘導する排藁落下路を形成している。
【００１０】
ドロッパ装置１は、在来のものと同様に、排藁落下路から供給される排藁を横軸回転する支点軸６ａに後方向きに突設した集稈部材６ｂで受け、所定の大きさの集束状として集稈された集稈を、支点軸６ａの制御回転によって放出するドロッパ６と、排藁口２ａから落下する排藁をドロッパ６に向けて誘導案内をする上部シュータ７ａと下部シュータ７ｂとからなるシュータ７と、ドロッパ６とシュータ７とを各支点軸６ａと取付軸９を介して、図１,２で示す集束姿勢（作業姿勢）と図３,４で示す収納姿勢とに切換自在に支持する旋回支持機構１０と、ドロッパ装置１を収納姿勢に切換えた切換状態を保持する収納保持機構１１等から構成している。
【００１１】
以下ドロッパ装置１の各要部構造について説明する。先ず、旋回支持機構１０について図１,２を参照し説明する。この旋回支持機構１０は機体フレーム３側又はカッタ装置４側に固設される縦向きの支持軸１０ａに、筒軸ブラケット状の旋回ホルダ１０ｂを回動自在に軸支しており、該旋回ホルダ１０ｂにドロッパ６のドロッパホルダ１０ｃとシュータ７の取付軸９を着脱自在に取付けている。そして、ドロッパホルダ１０ｃは、回動自在に軸支しており、該横軸１０ｄに対しドロッパ６の支点軸６ａの右側を後述するように取付けている。
【００１２】
さらに、旋回支持機構１０は、支点軸６ａと取付軸９を平行状となし左側をやや高くした左高傾斜姿勢で軸支すると共に、両軸の左端部に連結片（ステー）１２を嵌挿して連結している。これによりドロッパ装置１は連続放出姿勢において、排藁を左高傾斜姿勢によってその左側移動を抑制しながら集稈し、右側の既刈地側に向けて確実に集束放出する。またドロッパ６とシュータ７は、旋回ホルダ１０ｂを介し支持軸１０ａを中心に水平旋回自在に支持され、後述するように集束姿勢と収納姿勢とに可逆的に切換えることができる。
【００１３】
ドロッパ６は図１〜５に示すように、支点軸６ａの右端を横軸１０ｄに対し従来と同様な取付ブラケット構造によって、軸回動方向の取付け位置を調節自在に設けている。また横軸１０ｄは、ドロッパホルダ１０ｃの内部に張設した図示しないスプリングによって上向き回転方向に引張り付勢されている。これによりドロッパ６は図１,２に示す集稈姿勢において、集稈部材６ｂに蓄積される排藁重量がスプリングの引張り力を超えるとき、下方回動し排藁を集束状態で放出すると共に、放出後に復帰回動し集稈定量排出を間歇的に行うことができる。またドロッパ６は、横軸１０ｄに対し取付ブラケット構造を介し、図１,２で示す連続放出姿勢と図３,４で示す起立させた縦向き収納姿勢（非作業姿勢）とに切換えることができる。尚、図示例の集稈部材６ｂは、複数の弾性杆によって形成しているが、平坦な板状部材にしてもよい。
【００１４】
次に、シュータ７について図１,２,３を参照し説明する。このシュータ７は、上部シュータ７ａの後辺の下方に下部シュータ７ｂの前辺を重ねた展開状態で、両者を蝶番１３によって連結することにより、上部シュータ７ａを側面視で下向きに折畳み自在にしている。この下部シュータ７ｂは、平面視で方形状をなす集稈板を側面視でへ字状に屈曲させ、且つ屈曲側端部には側面板７ｃを一体的に設けて屈曲部の補強をしている。そして、側面板７ｃの中途部には取付ネジ１９ａを横向きに突設しており、該取付ネジ１９ａには後述する株側ガイド板２０に穿設した取付孔２２を係脱自在に挿入させるようにしている。
【００１５】
また下部シュータ７ｂは、下辺部に沿って適数のパイプ１５を設けており、各パイプ１５に前記取付軸９を挿入することにより上下方向回動及び軸方向にスライド自在に取付け支持している。実施形態のシュータ７は、標準的な稈長の排藁（短稈も含む）を集束する場合の下部シュータ７ｂ位置を標準排藁集束位置としており、該標準排藁集束位置は図１,図２（ａ）に実線で示す位置にしている。即ち、ドロッパ装置１は、支点軸６ａと取付軸９との長さを下部シュータ７ｂの幅より株元調節幅Ｈだけ株元側（左側）方向に長くしていると共に、両者の軸端側を連結片１２によって軸支状に連結している。
【００１６】
上部シュータ７ａは、平面視で略三角形状をなしており、その後端辺側を下部シュータ７ｂの上面に接当させたガイド姿勢において、前記後壁４ａに対し三角形の斜辺になる前端辺を取付手段１６を介して左右方向に取付け位置調節自在に取付けるようにしている。取付手段１６は図１,図３に示すように、上部シュータ７ａの前端辺の裏側に形成したボルト孔付の取付片１６ａを、後壁４ａの上縁部に沿って複数設けられるネジ穴１６ｂを選択し、両者を蝶ボルト等の固定具１６ｃによって着脱自在に取付けるようにしている。
【００１７】
これによりシュータ７は、下部シュータ７ｂ側を株元調節幅Ｈの範囲内で所望位置に移動し取付手段１６を介して位置決め固定し、長排藁に対しての集束を後述するように株側乱れを防止し適正な集束姿勢で圃場に放出することができる。
また上部シュータ７ａは図２（ｂ）に示すように、前記側面板７ｃに連なる左側辺の一部を上向きに屈曲させてリブ状の取付片７ｄを形成し、該取付片７ｄの上端部側にナット１７を螺装自在な取付ネジ１９を下向きに突設している。そして、取付片７ｄの起立外側面には取付ネジ１９を介して、上部シュータ７ａの板面を移動する穀稈の株元側をガイドする株側ガイド板２０を姿勢変更自在に支持するようにしている。
【００１８】
即ち、図示例の株側ガイド板２０は、その下辺側を上部シュータ７ａの左側の裏面に蝶番２１によって軸着することにより、株側ガイド板２０を実線で示すガイド姿勢と２点鎖線で示す格納固定姿勢に折畳み回動（反転）自在に取付けている。そして、株側ガイド板２０に穿設した取付孔２２を取付ネジ１９にナット１７を差し込み締着すると、株側ガイド板２０は取付片７ｄに沿って左側に傾斜した案内姿勢に立設固定される。これにより上部シュータ７ａを流下移動する排藁は、穂側を上部シュータ７ａの板面で支持されながら、株元側を株側ガイド板２０に沿って移動させることができるので、排藁の左側移動を規制すること及び株側ガイド板２０の斜面に接触した株端の左方移動も規制し、ドロッパ６に適正姿勢で整然と送ることができる。そして、ドロッパ６によって集束された排藁は、株元側の乱れを抑制した状態でより右側の既刈地側に放出させることができる。
【００１９】
一方、上記のように構成されるシュータ７は、ドロッパ装置１を収納姿勢に切換える際には、前記取付手段１６を介して後壁４ａとの固定を解除したのち、上部シュータ７ａを図３（ｂ）に示すように蝶番１３を支点に下向きに折り曲げ回動し、図２（ｂ）の２点鎖線で示すように下部シュータ７ｂに最接近させた折畳み位置にする。次いで、前記株側ガイド板２０を固定操作部材として利用し、上部シュータ７ａを下部シュータ７ｂに折畳み姿勢に固定する。
【００２０】
即ち、株側ガイド板２０は、ナット１７を外した状態で蝶番２１を支点に後方に反転回動したのち、取付孔２２を下部シュータ７ｂ側の取付ネジ１９ａに挿入し、次いで、外したナット１７を取付ネジ１９ａに螺挿締着する。これによりドロッパ装置１は、下部シュータ７ｂに対する上部シュータ７ａの折畳みを、側面視で株側ガイド板２０の前方突出を無くして近接し固定することができる。従って、シュータ７は株側ガイド板２０が株側ガイド部材と固定操作部材とを兼用をするため、上部シュータ７ａを下部シュータ７ｂに簡単な構成によって能率よく折畳み姿勢に切換えることができると共に、後壁４ａに折畳み姿勢のシュータ７を最接近させたコンパクトな収納姿勢にすることができる。
【００２１】
次に、収納保持機構１１について図１,３,４,５を参照し説明する。この収納保持機構１１は従来のものと同様な構造としており、後壁４ａの左側上部に取付けたステー２５の先端に形成される取付片２５ａに、収納位置に水平方向回動されたドロッパ装置１を収納姿勢に安定支持するようにしている。即ち、水平回動されて収納位置に至ったドロッパ装置１は、回動軸６ａの端部を取付片２５ａの溝係合に嵌合状態で載せて仮支持することができ、両者を位置決めした状態で蝶ネジ等の固定具２５ｂによって係脱自在に連結固定することができる。
【００２２】
また上記ドロッパ装置１の収納構造において後壁４ａには、図５に示すように後方に向けて突出するステー形状の位置決め部材２７を設けることができる。この場合には、前記したように上部シュータ７ａを蝶番１３を支点に前方下方に折畳んで起立させた折畳み姿勢のシュータ７が取付軸９を支点に前方側に向けて傾動しようとするとき、位置決め部材２７が取付軸９から離間した上部シュータ７ａの適所を受止めるため、折畳み姿勢のシュータ７が前方に向けて傾倒することを防止し仮支持することができる。
【００２３】
図示例の位置決め部材２７は板状片としており、その上部側に上記折畳み姿勢のシュータ７が取付軸９を支点に前方側に向けて回動しようとするとき、位置決め部材２７が取付軸９から離間した位置において折畳まれた上部シュータ７ａの一部に接当しシュータ７の傾倒を確実に防止する。従って、作業者はシュータ７を予め傾倒防止状態にすることができるので、前記株側ガイド板２０の下部シュータ７ｂ側への切換固定操作並びに、取付片２５ａと連結片１２との固定具２５ｂによる連結固定作業を行い易くすることができる。
【００２４】
次に、以上のように構成されるドロッパ装置１による作業及び収納態様と作用について説明する。先ず、コンバインＡは、圃場に植立する稲麦等の穀稈を刈取部及び脱穀装置を介し刈取脱穀処理し、且つ排藁を排藁搬送装置５を介して排藁処理装置２によって切断又は集束しながら圃場に放出する。このコンバイン作業においてドロッパ装置１によって集束して圃場に放出する場合には、ドロッパ装置１を図１,２（ａ）,３（ａ）に示すように作業姿勢にすると共に、切換板４ｂを閉じ且つ排藁落下ガイド５ｃをガイド姿勢に位置決めしたのち作業を行う。これにより脱穀済みの排藁は、排藁搬送装置５から排藁口２ａを介し、ドロッパ装置１のシュータ７の全長を穂側中心に株元側（後方側）を水平旋回しながら滑落しドロッパ６上に至る。
【００２５】
そして、排藁はドロッパ６と下部シュータ７ｂとによって蓄積集束状態になり、集束排藁が所定量になるときドロッパ６の下方回動によって圃場にまとめて放出される。このような排藁の連続放出作業において、株側ガイド板２０を備える上部シュータ７ａは、流下移動する排藁の穂側を上部シュータ７ａの板面で支持しながら、株元側を株側ガイド板２０が受けて左側への位置ずれ移動を規制するように移動案内をする。これにより長い稈長である場合の排藁（長排藁）は、株側ガイド板２０がその株元側を高く支持して移動される。
【００２６】
またドロッパ装置１は、穂側より重量が大きく且つ嵩張る株元側が、コンバイン作業時の機体振動を受けて左側移動をしようとするときに、株側ガイド板２０が排藁の左側移動を規制するように作用する。これにより上部シュータ７ａは、排藁を穂側をまとめた適正姿勢において株元側の乱れを抑制した状態でドロッパ６に整然と送り、集束された排藁をドロッパ６が機体右側の既刈地側にきれいに纏めて放出する。
【００２７】
またドロッパ装置１は、図２（ａ）の実線で示す標準シュータ位置にあるシュータ７の下部シュータ７ｂを前記取付軸９に株元調節幅Ｈの範囲で株元側移動を自在とする構成にしているため、コンバインＡが極めて長い稈長である極長穀稈を刈取脱穀するとき、予めシュータ７を標準シュータ位置から２点鎖線で示す長穀稈シュータ位置に切換えて、取付手段１６を介して後壁４ａに支持することができる。これにより長排藁は株元側を下部シュータ７ｂ及び株側ガイド板２０によって確実に支持され、株元側の垂れ下りによる株元不揃いを防止し穂側を中心とする旋回しながら下部シュータ７ｂを介しドロッパ６によって集束される。従って、ドロッパ装置１は、長排藁の株元側を受けるに当たりシュータ７の左右幅を拡張することなく、標準排藁仕様の幅狭な在来型のシュータ７を株元側へ移動調節をする簡単な構成によって集束案内を行うことができる等の利点がある。
【００２８】
そして、コンバイン作業を終えドロッパ装置１を収納姿勢にする場合には、先ず、取付手段１６の係合を解除操作し上部シュータ７ａの前端と後壁４ａとの固定を解除したのち、下部シュータ７ｂを右手で起立状態に把持しながら、図３（ｂ）に示すように上部シュータ７ａを蝶番１３を支点として折畳む。次いで、ナット１７を緩め取付ネジ１９から外すと共に、自由になった株側ガイド板２０を図２（ｂ）に示すように、蝶番２１を支点に回動させて取付ネジ１９から外したのち、取付孔２２を下部シュータ７ｂ側の取付ネジ１９ａに挿入し、該取付ネジ１９ａに取外したナット１７を締着し、株側ガイド板２０を下部シュータ７ｂに取付ける。
【００２９】
これによりドロッパ装置１は、シュータ７を折畳み姿勢に固定し、且つドロッパ６も下部シュータ７ｂに沿って起立姿勢にしたコンパクトな収納姿にする。次いで、作業者は、収納姿のドロッパ装置１を旋回ホルダ１０ｂを介し支持軸１０ａを中心に前側に向けて水平旋回し、連結片１２が収納保持機構１１の取付片２５ａと合致する位置で両者を前記したようにネジ２５ｂによって締着し連結する。これによりドロッパ装置１は、シュータ７とドロッパ６とをコンパクトな折畳み姿勢にしながら、収納保持機構１１によって後壁４ａに最接近させた収納姿勢に安定よく切換支持することができる。
【００３０】
尚、収納姿勢にあるドロッパ装置１は、必要により従来のものと同様に穀稈長さの短い短穀稈を集束して機体幅の略中央部に放出することができる。この場合には、排出口２ａから排出された排藁は、起立状態になった下部シュータ７ｂの上面部を移動して集束姿勢に切換えられているドロッパ６に集束され放出されることになる。また上記のような収納姿勢にあるドロッパ装置１を集束姿勢に切換える際には、逆順の動作によってネジ２５ｂと取付ネジ１９を収納姿勢解除操作すると共に、作業位置に復帰水平回動することにより簡単に集束姿勢に戻すことができる。
【００３１】
このように収納姿勢にすることができるドロッパ装置１は、上部シュータ７ａの株元側に、起立姿勢で株元揃え作用を奏する株側ガイド板２０を反転回動自在に立設すると共に、該株側ガイド板２０を上部シュータ７ａの折畳み時に反転回動し下部シュータ７ｂに係脱固定自在に構成しているため、非作業時の株側ガイド板２０は固定部材となって、折畳んだ上部シュータ７ａを下部シュータ７ｂに簡潔で安価な構成によって確実に固定することができる。そして、反転姿勢にした株側ガイド板２０によって、上部シュータ７ａを下部シュータ７ｂに固定した折畳み姿勢のシュータ７は、両者のがたつきを抑制した状態で後壁４ａに近接させたコンパクトな収納姿勢に安定的に支持することができる。
【００３２】
さらに、上部シュータ７ａを下部シュータ７ｂ側に固定する株側ガイド板２０は、反転回動させない場合には後壁４ａに接当してドロッパ装置１を収納姿勢にできないため、作業者が株側ガイド板２０を固定部材として使用することを失念することを防止できる。また株側ガイド板２０を固定部材にするドロッパ装置１は、単独部品としての固定部材を要しないので、作業者にとってドロッパ装置１のシュータ７等の姿勢切換作業の手順を覚え易くすることができると共に、シュータ７の折畳み固定及び解除展開等の操作を行い易くすることができる等の特徴がある。
【符号の説明】
【００３３】
１  ドロッパ装置
２  排藁処理装置
２ａ  排藁口
４ａ  後壁
５  排藁搬送装置
６  ドロッパ
７  シュータ
７a  上部シュータ
７ｂ  下部シュータ
６ａ  支点軸
９  取付軸
１０ａ  支持軸
２０  株側ガイド板
Ａ  コンバイン
【図１】
2016208924.tif 000003
【図２】
2016208924.tif 000004
【図３】
2016208924.tif 000005
【図４】
2016208924.tif 000006
【図５】
2016208924.tif 000007